(57)【要約】【課題】作業後の接地棒を確実に回収することのできる接地棒の遠隔管理システムを提供する。【解決手段】接地棒の遠隔管理システム１は、トロリー線に接地される接地棒２と監視装置４０とから構成される。接地棒２には、監視装置４０の第２の通信手段４２との間で通信できる第１の通信手段１２を備えている。また、懸下された状態を伝達する状態伝達部１６を有し、この中には発光部１６ａ、発音部１６ｂ、振動部１６ｃを備える。さらに、懸下状態においてＯＮとなる懸下状態判定手段１４を備え、電源スイッチ６ａがＯＮの状態にあるとき、電池１０からの電力供給と遮断とを切り替える。これにより、懸下状態にあるとき、状態伝達部１６から発する発光情報Ｄ３、発音情報Ｄ４、振動情報Ｄ５と電池の残量情報Ｄ６とが、第１の通信手段１２に入力される度に監視装置４０側に送信される。【選択図】図２
2013047086.tif 000002
【特許請求の範囲】
【請求項１】
本体部と、前記本体部の一端に設けられ、トロリー線に懸下できるフックと、前記フックへ電気的に接続されると共に接地対象に接続されるリード線と、主電源としての電池と、自身が懸下された状態を示す懸下情報を含む状態情報を送信可能な第１の通信手段と、を備えた少なくとも１つの接地棒と、
前記第１の通信手段から送信された前記状態情報を受信可能な第２の通信手段を備えた少なくとも１つの監視装置とからなる
ことを特徴とする接地棒の遠隔管理システム。
【請求項２】
前記第１の通信手段と前記第２の通信手段による通信は無線通信であることを特徴とする請求項１に記載の接地棒の遠隔管理システム。
【請求項３】
懸下されたときにＯＮとなる懸下判定手段と、
前記懸下判定手段がＯＮ状態になったときに、発光する発光部、発音する発音部、振動する振動部のうち少なくとも１つを含む状態伝達部とを備えた
ことを特徴とする請求項１又は２に記載の接地棒の遠隔管理システム。
【請求項４】
前記状態情報は、
前記発光部が発光していることを示す発光情報と、
前記発音部が発音していることを示す発音情報と、
前記振動部が振動していることを示す振動情報と、
のうち少なくとも１つを含むことを特徴とする請求項３に記載の接地棒の遠隔管理システム。
【請求項５】
前記懸下判定手段は、懸下されたときの前記接地棒の傾斜角に基づいてＯＮ状態となる傾斜スイッチである
ことを特徴とする請求項１から４の何れか１項に記載の接地棒の遠隔管理システム。
【請求項６】
前記フックの内側であって、懸下状態で前記トロリー線に当接する位置に、押圧されている間のみＯＮとなる主電源スイッチを備えた
ことを特徴とする請求項１から５の何れか１項に記載の接地棒の遠隔管理システム。
【請求項７】
前記第１の通信手段は、少なくとも前記状態情報を受けた場合、この状態情報を前記第２の通信手段へ送信することを特徴とする請求項１から６の何れか１項に記載の接地棒の遠隔管理システム。
【発明の詳細な説明】
【技術分野】
【０００１】
本発明は、電車線等の工事の際、安全のために、トロリー線に給電するき電線を停電させた状態でトロリー線又はき電線を接地するために使用される懸下型の接地棒の遠隔管理システムに関する。
【背景技術】
【０００２】
電車線等の電路の工事を行う際、誤って電源が投入された場合であっても、作業員を感電から護るために、作業中、き電線又はトロリー線は接地されている。
【０００３】
図５は、従来の接地棒の設置方法を示した図である。接地棒１０２の導体バー１０４は、導電性を有する部材で形成されており、この導体バー１０４の先端には、同様に導電性を有するフック１０６が設けられている。そして、導体バー１０４の下端には、接地対象と導体バー１０４とを電気的に接続するリード線１０８が設けられている。
【０００４】
このような構成の接地棒１０２を設置する際、先ず、下端側が揺動自在に固定される。そして、導体バー１０４の中間位置が吊りロープ１１２と滑車１１０とを用いて持ち上げられる。そして、地面に対して略垂直になったところで、き電線Ｍに先端のフック１０６が引っ掛けられる。こうして、き電線Ｍが接地され、作業員は安全に作業を行うことが可能となる。
【０００５】
このような電車線作業用設置装置については、例えば、特許文献１に開示されている。
【先行技術文献】
【特許文献】
【０００６】
【特許文献１】特開２００６−６９４４８号公報
【発明の概要】
【発明が解決しようとする課題】
【０００７】
しかしながら、複数の作業員によって広範囲に亘る作業を行う場合、多数の接地棒を要するので、作業中の安全管理のみならず、作業後の安全管理にも注意を要する。
【０００８】
例えば、回収忘れによる短絡事故を確実に防止する必要がある。しかし、広範囲に亘って複数の接地棒を配置する場合、使用数が多くなるほど回収忘れの可能性は高くなる。そして、回収されず、一部の電車線又はトロリー線が接地された状態で給電が再開されると、送電設備に損傷が生じると共に、作業者が危険に晒される虞がある。
【０００９】
そこで、本発明では、上記の課題を解決するために、作業後の接地棒を確実に回収することのできる接地棒の遠隔管理システムを提供することを目的とする。
【課題を解決するための手段】
【００１０】
上記目的を達成するために、本発明の接地棒の遠隔管理システムは、本体部と、本体部の一端に設けられ、トロリー線に懸下できるフックと、フックへ電気的に接続されると共に接地対象に接続されるリード線と、主電源としての電池と、自身が懸下された状態を示す懸下情報を含む状態情報を送信可能な第１の通信手段と、を備えた少なくとも１つの接地棒と、第１の通信手段から送信された状態情報を受信可能な第２の通信手段を備えた少なくとも１つの監視装置とからなることを特徴とする。
【００１１】
また、上記構成に加えて、本発明の接地棒の遠隔管理システムは、第１の通信手段と第２の通信手段による通信は無線通信であることを特徴とする。
【００１２】
また、上記構成に加えて、本発明の接地棒の遠隔管理システムは、懸下されたときにＯＮとなる懸下判定手段と、懸下判定手段がＯＮ状態となったときに、発光する発光部、発音する発音部、振動する振動部のうち少なくとも１つを含む状態伝達部とを備えたことを特徴とする。
【００１３】
また、上記構成に加えて、本発明の接地棒の遠隔管理システムは、状態情報は、発光部が発光していることを示す発光情報と、発音部が発音していることを示す発音情報と、振動部が振動していることを示す振動情報と、のうち少なくとも１つを含むことを特徴とする。
【００１４】
また、上記構成に加えて、本発明の接地棒の遠隔管理システムは、懸下判定手段は、懸下されたときの接地棒の傾斜角に基づいてＯＮ状態となる傾斜スイッチであることを特徴とする。
【００１５】
また、上記構成に加えて、本発明の接地棒の遠隔管理システムは、フックの内側であって、懸下状態でトロリー線に当接する位置に、押圧されている間のみＯＮとなる主電源スイッチを備えたことを特徴とする。
【００１６】
また、上記構成に加えて、本発明の接地棒の遠隔管理システムは、第１の通信手段は、少なくとも状態情報を受けた場合、この状態情報を第２の通信手段へ送信することを特徴とする。
【発明の効果】
【００１７】
以上説明したように、本発明によれば、少なくとも１つの接地棒から送信される懸下情報は、少なくとも１つの監視装置で受信され、遠隔位置にて接地棒の懸下状態が把握されるので、取り外しを忘れられている接地棒の有無を遠隔位置に居ながら漏れなく把握することが可能となる。
【００１８】
また、本発明によれば、通信圏内の何れの位置においても、監視装置を用いて第１の通信手段の発する状態情報が得られるので、監視装置とともに移動し、接地棒の懸下情報を得ることができ、持ち場の定まらない監督者が、未回収の接地棒を容易に確認することが可能となり、さらに、順次回収しながら未回収の残数を把握することも可能となる。
【００１９】
また、本発明によれば、懸下状態にすることにより、発光、発音又は振動が開始されるので、視認可能な範囲内に懸下された接地棒の存在が明確になり、取り外し忘れが生じにくくなる。
【００２０】
また、本発明によれば、接地棒を懸下状態にすることにより、発光、発音又は振動が開始したことと合わせて、各接地棒の電池の残量が監視装置に通知されるので、遠隔位置にある監視装置側で、接地棒の使用開始が確認できると共に、電池の残量の通知に基づいて、電池の消耗に備えることが可能となる。
【００２１】
また、本発明によれば、懸下された状態が傾斜スイッチにより検知されるので、自立できない接地棒を懸下状態から外した場合、信号がＯＦＦになり、使用状態にある接地棒を明確に区別することが可能となる。
【００２２】
また、本発明によれば、フックを懸下することにより、主電源スイッチがトロリー線から押圧されてＯＮになって主電源が入り、第１の通信手段、懸下判定手段及び状態表示部が使用可能となるので、実際に懸下されて使用状態になるまでは、不要な電力消費を抑えることが可能となる。
【００２３】
また、本発明によれば、状態が変化する度に状態伝達部から第１の通信手段へ送られる状態情報が、随時第１の通信手段から第２の通信手段へ送信されるので、接地棒の使用状態を監視装置側で把握することが可能となる。これにより、回収忘れを確実に防止することができる。
【図面の簡単な説明】
【００２４】
【図１】本発明の第１の実施の形態に係る接地棒を示しており、（ａ）は懸下状態を示し、（ｂ）は横設状態を示した斜視図である。
【図２】図１の接地棒の遠隔管理システムの概略を示したブロック図である。
【図３】本発明の第２の実施の形態に係る接地棒の遠隔管理システムの概略を示したブロック図である。
【図４】本発明の第２の実施の形態に係る接地棒のフック周辺を示し、（ａ）はトロリー線にフックを懸下する前の状態を、また、（ｂ）はトロリー線にフックを懸下した後の状態を示した図である。
【図５】従来の接地棒を示した図である。
【発明を実施するための形態】
【００２５】
本発明の実施の形態について、図を用いて説明する。
【００２６】
（第１の実施の形態）
本発明の第１の実施の形態における遠隔管理システムについて、図１及び図２を用いて説明する。
【００２７】
図１は、接地棒２を示しており、このうち（ａ）は、トロリー線６０に懸下された状態を示し、（ｂ）は水平に配置したときの状態を示している。また、図２は、図１の接地棒２と、この接地棒２に対して無線通信を行う監視装置４０とからなる、遠隔管理システム１の概略を示している。
【００２８】
先ず、図１を参照して、本実施の形態における接地棒２には、本体部４の先端に導電性を有するフック６が設けられている。そして、一端がこのフック６と電気的に接続され、他端が接地対象に接続されるリード線８が本体部４の上端側から延びている。
【００２９】
ここで、この接地棒２の本体部４には懸下状態を判定するための懸下判定手段として傾斜スイッチ（図示せず）が備えられており、図１（ａ）に示したように懸下されたときにＯＮとなるように設定されている。そして、本実施の形態における接地棒２は、上記傾斜スイッチがＯＮになると、状態伝達部１６に設けられた発光部１６ａが発光し、発音部１６ｂ（本体部に内蔵）から音を発し、また、振動部１６ｃ（本体部に内蔵）が振動するように設定されている。
【００３０】
したがって、フック６がトロリー線６０に懸下され、接地棒２が懸下姿勢を保つ状態になると、接地棒２が使用状態にあることを明確に認識させるため光と音と振動が発せられる。これにより、近くで作業を行う作業者は、常にその接地棒２の存在を確認することができる。
【００３１】
そして、接地棒２がトロリー線６０から取り外されると、傾斜スイッチがＯＦＦになる
ので、発光部１６ａ、発音部１６ｂ及び振動部１６ｃによる発光、発音及び振動は停止する。
【００３２】
ところで、近くの作業者に対しては、接地棒２が、発光、発音、又は振動することにより、それが使用状態にあることを認識させることが可能であるが、作業者を監督する監督者は作業中、１個所に留まることがない。このため、目の届かないところの接地棒２の使用状態を知ることはできない。そこで、本実施の形態では、個々の接地棒２の状態を遠隔位置にて認識することができるよう、通信手段を用いたシステムを構成している。次に、この構成の概略について、図２を用いて説明する。
【００３３】
図２には、接地棒２と、これを管理する監視装置４０との関係が示されている。なお、ここでは、接地棒２と監視装置４０とは、１対１の構成を例として示しているが、１対多、又は多対１、さらには、多対多の構成であっても構わない。
【００３４】
接地棒２には図１を用いて説明した発光部１６ａ、発音部１６ｂ、振動部１６ｃなどの状態伝達部１６に電力を供給する主電源としての電池１０が備えられている。この電池１０からの電力供給及び遮断は、電源スイッチ６ａにより切り替えられる。この電源スイッチ６ａは、使用前、すなわち、接地棒２がトロリー線等に懸下される前に、電力供給可能な状態に切り替えられる。
【００３５】
図２に示したように、本実施の形態では状態伝達部１６と電源スイッチ６ａとの間には、懸下状態判定手段１４が介在している。ここでは、この懸下状態判定手段１４は、上述した傾斜スイッチである。
【００３６】
これにより、状態伝達部１６を構成する発光部１６ａ、発音部１６ｂ及び振動部１６ｃは、それぞれ、電源スイッチ６ａがＯＮ状態となり、且つ、接地棒２がトロリー線６０に懸下されたときに発光、発音及び振動状態となる。また、このとき、発光部１６ａ、発音部１６ｂ及び振動部１６ｃからは、それぞれ、発光情報Ｄ３、発音情報Ｄ４及び振動情報Ｄ５が、第１の通信手段１２へ送られる。
【００３７】
一方、本実施の形態における接地棒２には、電池１０の残量を判定する残量判定手段１１が設けられている。そして、この残量判定手段１１により判定された残量情報Ｄ６も同様に、第１の通信手段１２へ送られる。
【００３８】
ここで、本実施の形態における第１の通信手段１２は、各種情報が入力されたとき、それに応じて随時、監視装置４０の第２の通信手段４２へそのまま送信するよう構成されている。
【００３９】
すなわち、上述のように、接地棒２がトロリー線６０に懸下状態となり、発光部１６ａ、発音部１６ｂ及び振動部１６ｃから発光、発音及び振動がそれぞれＯＮになったことを示す情報として、発光情報Ｄ３、発音情報Ｄ４及び振動情報Ｄ５を受けたときは、これらの情報がそのまま第２の通信手段４２へ送信される。これにより、監視装置４０側では、接地棒２が使用状態になったことを確認することができる。
【００４０】
また、作業が終了し、トロリー線６０から接地棒２が取り外されたときには、発光部１６ａ、発音部１６ｂ及び振動部１６ｃからは、発光、発音及び振動のそれぞれがＯＦＦになったことを示す情報として、発光情報Ｄ３、発音情報Ｄ４及び振動情報Ｄ５が発せられ、これを受けた第１の通信手段１２は、そのまま第２の通信手段４２へ送信する。これにより、監視装置４０側では、接地棒２が取り外されたことを確認することができる。
【００４１】
このように、監視装置４０側に各種の状態情報Ｄ２がＯＮであることが示されている間は、接地棒２が使用状態であることを確認できるので、外し忘れを生ずることなく確実に回収することが可能となる。
【００４２】
ところで、図２にて明らかなように、本実施の形態の構成では、残量判定手段１１から第１の通信手段１２への情報送信は懸下状態に依存しないので、電源スイッチ６ａがＯＮになった時点で、第１の通信手段１２は残量情報Ｄ６を受け取り、送信することが可能となる。これにより、使用前に予め電池１０の残量のみを通信により確認することも可能である。
【００４３】
尚、本実施の形態では、状態伝達部１６に発光部１６ａ、発音部１６ｂ、振動部１６ｃが備えられた構成を例として示したが、３つ全てを備えている必要はない。
【００４４】
また、本実施の形態では、懸下状態判定手段の一例として傾斜スイッチを用いた構成を示した。しかし、これに限らず、傾斜センサとＣＰＵとの組合せで構成しても構わない。
【００４５】
このように構成すると、傾斜状態であることを判定した懸下情報を直接、第１の通信手段を介して送信することにより、監視装置側では接地棒２がどの傾斜状態にあるのかを確認することが可能となる。さらに、この傾斜センサとして、傾斜角を数値出力できるものを採用すれば、ＣＰＵでの演算によりノイズを除去し、より確実に使用状態を検知することが可能となる。例えば、風などの影響で本体部が揺れている場合、一定の往復運動のパターンを除外することにより、たとえ、通常の傾斜角の範囲を外れたとしても懸下されているものとして正確に認識することができる。
【００４６】
さらにまた、懸下状態判定手段の他の例として、接地棒の何れかの部分が、懸下時に自重により変形する構成をスイッチとして利用する構成であっても構わない。例えば、フックの内側で、懸下時にトロリー線と当接する部分に押しボタンスイッチを内向きに設けておくと、懸下時に押しボタンスイッチが押圧されてＯＮとなり、懸下状態を検出することが可能となる。
【００４７】
また、本実施の形態では、接地棒と監視装置とは無線により通信する構成例を示したが、有線通信であっても構わない。
【００４８】
（第２の実施の形態）
次に、本発明の第２の実施の形態に係る接地棒の遠隔管理システムについて図３及び図４を用いて説明する。なお、ここでは、便宜上、第１の実施の形態に示した構成要素と概念的に同一とみなせる構成要素に対しては同一の符号を付して説明する。
【００４９】
図３は、接地棒８２と監視装置４０とからなる遠隔管理システム８１の概略を示した図である。本実施の形態における遠隔管理システム８１は、第１の実施の形態に示した構成とは懸下状態判定手段１４の位置が異なっている。図２の遠隔管理システム１では、懸下状態判定手段１４は、電源スイッチ６ａと状態伝達部１６との間に配置されていたが、この図３に示した構成では、状態伝達部１６と第１の通信手段１２との間に配置されている。このため、電源スイッチ８６ａがＯＮ状態となったとき、電力供給を受けて、状態伝達部１６を構成する発光部１６ａ、発音部１６ｂ及び振動部１６ｃは動作状態となる。
【００５０】
しかし、状態伝達部１６と第１の通信手段１２との間に懸下状態判定手段１４が介在しているので、電源スイッチ８６ａがＯＮ状態になっただけでは、発光情報Ｄ３、発音情報Ｄ４及び振動情報Ｄ５は、第１の通信手段１２へは送られず、懸下状態となったとき、初めて送信可能となる。したがって、誤送信を生ずることなく、接地棒８２の使用状態を確
実に監視装置４０へ送信することが可能となる。
【００５１】
ところで、本実施の形態の場合、電源スイッチ８６ａがＯＮとなっただけで電池１０と状態伝達部１６とは導通状態となるので、懸下状態が解除されたときも発光、発音及び振動状態は継続する。
【００５２】
そこで、本実施の形態では、電源スイッチ８６ａをフックに設け、懸下状態にあるときのみ電力が供給されるように構成されている。図４は、本実施の形態における接地棒８２のフック８６の周辺を拡大して示しており、（ａ）は、トロリー線６０とフック８６とが離間した状態を示し、また、（ｂ）はトロリー線６０にフック８６が懸下された状態を示している。この図４（ａ）に示すように、トロリー線６０と当接するフック８６の内側に押しボタン型の電源スイッチ８６ａが設けられている。これにより、図４（ｂ）に示すように、フック８６がトロリー線６０に懸下されると、電源スイッチ８６ａはトロリー線６０の上面により押し上げられＯＮ状態となる。このように構成することにより、作業が終了し、接地棒８２をトロリー線６０から取り外したとき、電源スイッチ８６ａはＯＦＦとなり、状態伝達部１６の発光、発音及び振動は停止する。
【００５３】
尚、本実施の形態では、状態伝達部１６と第１の通信手段１２との間に懸下状態判定手段１４が配置された構成に対して、図４に示したフック８６の電源スイッチ８６ａを主電源用のスイッチとして併用した。しかし、第１の実施の形態における主電源スイッチとしての電源スイッチ６ａを、本実施形態と同様にフック８６の電源スイッチ８６ａとして置き換えてもよい。このように構成すると、作業が終了し、トロリー線６０から外されたにもかかわらず、壁に立て掛けるなど、縦配置されたために傾斜スイッチがＯＮ状態となっている場合であっても、フック８６に設けられた電源スイッチ８６ａがＯＦＦになるので、電力供給が断たれ、誤動作により通信が行われることを防止できる。
【符号の説明】
【００５４】
１、８１      遠隔管理システム
２、８２      接地棒
４      本体部
６、８６      フック
６ａ、８６ａ      電源スイッチ
８      リード線
１０      電池（主電源）
１２      第１の通信手段
１４      懸下状態判定手段（傾斜スイッチ）
１６      状態伝達部
１６ａ      発光部
１６ｂ      発音部
１６ｃ      振動部
４０      監視装置
４２      第２の通信手段
６０      トロリー線
Ｄ２      状態情報
Ｄ３      発光情報
Ｄ４      発音情報
Ｄ５      振動情報
【図１】
2013047086.tif 000003
【図２】
2013047086.tif 000004
【図３】
2013047086.tif 000005
【図４】
2013047086.tif 000006
【図５】
2013047086.tif 000007